(57)【要約】【課題】上向きに保持されたレフィルの先端をカバーするキャップを、分かり易い簡単な操作で開放することができ、しかも、このキャップを紛失するおそれのない棒状化粧料容器を提供する。【解決手段】レフィルホルダ２の外側面に、左右から突出する突条部２ｆを有するレール状の案内溝２ｅを設け、キャップ１の側部１ａの下端縁から、先端部１ｄに凸部１ｅを有する板状部１ｃを延設し、この板状部１ｃの凸部１ｅを上記案内溝２ｅの内部に嵌入して係合させることにより、上記キャップ１をこの案内溝２ｅの形成方向に沿ったスライド自在に支持する。また、上記レール状の案内溝２ｅの上端に、これら凸部１ｅの上方への抜けを防止するストッパ５を配設することにより、上記スライドして移動してきた板状部１ｃ先端の各凸部１ｅを支点として、上記キャップ１を回動自在に支持する。【選択図】図１
2011000380.tif 000002
【特許請求の範囲】
【請求項１】
内部に棒状化粧料が充填された円筒状のレフィルと、このレフィルを保持する筒状のレフィルホルダと、このレフィルホルダと略同じ外周形状を有する側部と蓋部とからなるキャップとを備え、上記レフィルホルダの端部開口から嵌入されたレフィルを、その上端が上記レフィルホルダの上面から突出した状態で保持する棒状化粧料容器であって、上記キャップの側部の下端縁から、上記レフィルの嵌入方向に沿って延びる板状部が延設され、この板状部の先端部には、左右に突出する凸部が設けられ、上記レフィルホルダの外側面には、上記レフィルの嵌入方向に沿って延びるレール状の案内溝が設けられ、この案内溝には、左右の側壁から突出する突条部が形成されて、上記案内溝の内部に上記板状部の先端部が嵌入され、この板状部先端の各凸部が、上記案内溝の各突条部内側にそれぞれ係合することにより、上記キャップが上記レフィルの嵌入方向に沿ったスライド自在に支持されているとともに、上記案内溝の上端に、この板状部先端の各凸部の上方への抜けを防止するストッパが設けられ、上記スライドして移動した板状部先端の各凸部が、このストッパに突き当たって保持されることにより、上記キャップが板状部を介して、この位置から後方に向かって回動自在に支持されるようになっていることを特徴とする棒状化粧料容器。
【請求項２】
上記レール状の案内溝内をスライドする上記板状部先端の凸部の移動距離が、上記レフィルホルダの上面から突出するレフィルの突出高さより大きくなるように構成されている請求項１記載の棒状化粧料容器。
【発明の詳細な説明】
【技術分野】
【０００１】
本発明は、口紅，リップクリーム等の棒状化粧料を繰り出して使用する容器に関するもので、特に、店頭等に展示され、ユーザーが試用することのできる口紅テスター等、棒状化粧料のテスターに適した容器に関する。
【背景技術】
【０００２】
従来から、口紅等、棒状化粧料の色見本品を店頭等で展示する際には、図４の斜視図に示すように、レフィルホルダ２２の上側に色見本２１（ダミーや色板，シール等）が取り付けられ、その下側に試供用のサンプル品（試供品用のレフィル２４）が配設されたテスター２０を各色ごとに用意し、これらを、上面に多数のテスター挿入穴３０ａが設けられた展示台３０に並べて展示する方法が用いられている（例えば、特許文献１，２等を参照。）。
【０００３】
この試供品用のレフィル（あるいはリフィル：ｒｅｆｉｌｌ）２４は、相対回転する外筒と内筒からなる試供品用筒状体の内部に、上記色見本２１と同じ色の棒状化粧料を充填したもので、図５の組立図に示すように、その開口（棒状化粧料の繰出し口）を下に向けた状態でアダプタ２３に嵌入され、このアダプタ２３ごとレフィルホルダ２２の下端開口から押し込まれて、上記レフィルホルダ２２の内側に下向きに保持されている。
【０００４】
顧客（ユーザー）が試用する場合は、上記テスター２０を展示台３０から抜き出し、試供品用のレフィル２４を上に向け、その状態で、レフィル２４における上記レフィルホルダ２２から露出（突出）している部位（筒状体の外筒）と、レフィルホルダ２２とを相対回転させて棒状化粧料を繰り出し、試し塗りすることが行われる。
【０００５】
また、上述のような口紅のテスター２０の展示方法では、テスター２０が長期間展示されていると、試し塗りを繰り返されるために使い尽くされたり、すり減って見栄えが悪くなったりする場合がある。このようなときは、レフィルを新しいものと交換する必要があるが、試供品用のレフィル２４は販売促進用として限定生産されたもので再入手が困難であるため、代わりに、図５の組立図に示すように、市販品（商品）に用いられている筒状体（市販品用のレフィル２５）を上記レフィルホルダ２２に保持して展示することが行われる。
【０００６】
なお、上記市販品用のレフィル２５のスリーブ外径が、試供品用のレフィル２４より大径に形成されている場合は、レフィルホルダ２２の下端開口からそのまま押し込んで直接固定するか、あるいは、別途専用のアダプタを介して固定する方法が採られる。
【先行技術文献】
【特許文献】
【０００７】
【特許文献１】特開平８−１１７０６９号公報
【特許文献２】特開平９−３２２８２０号公報
【特許文献３】特開平１０−１７４６１４号公報
【特許文献４】特開平１１−４６８５２号公報
【発明の概要】
【発明が解決しようとする課題】
【０００８】
ところで、通常、このような口紅の展示方法においては、図４の斜視図に示すように、テスター２０は、その上部の色見本２１がユーザーから見えるように載置され、その下部（サンプル品の部分）が展示台３０の挿入穴３０ａに挿入されて隠れるため、下方を向くレフィル（２４，２５）の開口部には、カバーやキャップ等の蓋部材が設けられていないものがほとんどであった。
【０００９】
ところが、近年、密着感やツヤ等を向上させた口紅等、従来よりオイルリッチで低粘度・低融点の棒状化粧料が商品化されたことから、テスターを展示する場所によっては、夏場等の気温の上昇あるいは照明光による温度上昇等により、棒状化粧料が軟化してしまう場合があることが分かってきた。また、この棒状化粧料の粘度が低い場合、あるいは、温度上昇による軟化が極端な場合、展示時は開口を下にして配置されているレフィルから、溶融した棒状化粧料の滴が落下するおそれがあり、最悪の場合、棒状化粧料自身がレフィルから抜け落ちる等の問題が発生する可能性がある。
【００１０】
このような問題を解決する方法として、これまでとは逆に、レフィルを上向きに（すなわち、棒状化粧料の繰出し口を展示台上方に向けて）保持し、そのレフィルの開口の上方に、ホコリや照明の熱等を遮るキャップ等の蓋部材を設けた棒状化粧料のテスターが考えられる。
【００１１】
しかしながら、展示に用いられる棒状化粧料のテスターは、市販品とは異なり、不特定多数の人が試用するために、蓋やキャップ等を設けた場合でも、１）この蓋やキャップ等の上部構造が簡単かつ直感的に開閉可能であること。２）開けた蓋やキャップ等を紛失しない構造であること、等が求められる。
【００１２】
なお、ユーザーに提供される市販品においては、通常、蓋やキャップ等が別体となった商品が多く見受けられる。また、蓋やキャップ等がレフィルホルダに一体化され、これらの開閉がレフィルの昇降に伴って自動で行われる提案（特許文献３，４等）もなされてはいるが、これらの提案に係る棒状化粧料容器は、レフィルの交換が考慮された構造とはなっておらず、構造が複雑で製造コストが嵩むという問題がある。
【００１３】
本発明は、このような事情に鑑みてなされたもので、上向きに保持されたレフィルの先端をカバーするキャップを、分かり易い簡単な操作で開放することができ、しかも、このキャップを紛失するおそれのない棒状化粧料容器の提供をその目的とする。
【課題を解決するための手段】
【００１４】
上記の目的を達成するため、本発明は、内部に棒状化粧料が充填された円筒状のレフィルと、このレフィルを保持する筒状のレフィルホルダと、このレフィルホルダと略同じ外周形状を有する側部と蓋部とからなるキャップとを備え、上記レフィルホルダの端部開口から嵌入されたレフィルを、その上端が上記レフィルホルダの上面から突出した状態で保持する棒状化粧料容器であって、上記キャップの側部の下端縁から、上記レフィルの嵌入方向に沿って延びる板状部が延設され、この板状部の先端部には、左右に突出する凸部が設けられ、上記レフィルホルダの外側面には、上記レフィルの嵌入方向に沿って延びるレール状の案内溝が設けられ、この案内溝には、左右の側壁から突出する突条部が形成されて、上記案内溝の内部に上記板状部の先端部が嵌入され、この板状部先端の各凸部が、上記案内溝の各突条部内側にそれぞれ係合することにより、上記キャップが上記レフィルの嵌入方向に沿ったスライド自在に支持されているとともに、上記案内溝の上端に、この板状部先端の各凸部の上方への抜けを防止するストッパが設けられ、上記スライドして移動した板状部先端の各凸部が、このストッパに突き当たって保持されることにより、上記キャップが板状部を介して、この位置から後方に向かって回動自在に支持されるようになっている棒状化粧料容器を第１の要旨とする。
【００１５】
また、本発明は、そのなかでも、上記レール状の案内溝内をスライドする上記板状部先端の凸部の移動距離が、上記レフィルホルダの上面から突出するレフィルの突出高さより大きくなるように構成されている棒状化粧料容器を第２の要旨とする。
【発明の効果】
【００１６】
本発明は、レフィルホルダの側面に、レフィルの嵌入方向に沿って形成されたレール状（カーテンレール状）の案内溝に沿って、このホルダの上部をカバーするキャップを上下させ、内部に保持されたレフィルの先端を露出させるとともに、このレフィルの先端が露出した状態で、上記キャップを回転（回動）させる二段階動作を採用することにより、上記キャップがレフィルの先端に引っ掛かることなく、誰もが直感的にキャップを開閉できるように構成したものである。
【００１７】
すなわち、本発明の棒状化粧料容器は、上記レフィルホルダの外側面に、その左右の側壁から突出する突条部を有するレール状の案内溝を設け、上記キャップの側部の下端縁から、先端部に上記レフィルホルダの外側面に沿って左右に突出する凸部を有する板状部を延設し、この板状部の凸部を上記案内溝の内部に嵌入して係合させることにより、このレール状の案内溝に沿って、上記キャップをレフィル嵌入方向へスライド移動させることができるようになっている。
【００１８】
また、上記レール状の案内溝の上端には、この板状部先端の各凸部の上方への抜けを防止するストッパが設けられ、上記スライドして移動した板状部先端の各凸部が、このストッパに突き当たって係合保持されるように構成されていることから、上記レフィルの先端が完全に露出し、上記キャップのスライド動作の終点、すなわち上記板状部先端の凸部がストッパに衝突して停止した点において、このキャップを上方へ引き上げようとする力が、上記板状部先端の凸部を支点としてこれを後方に回動させ、レフィルホルダの上面全体が露出するようになる。したがって、本発明の棒状化粧料容器は、上記キャップのスライドと回動という二段階動作を、予備知識がなくても、誰もが直感的に行うことができるようになる。
【００１９】
そして、上記の構成により、本発明の棒状化粧料容器は、上記キャップを、一連の動作でスムーズに開閉させ、レフィルの先端部を容易に露出させることが可能になる。また、本発明の棒状化粧料容器は、上記キャップが板状部を介してレフィルホルダに係合していることから、このキャップが離れて紛失するおそれがなく、構造がシンプルで、誰にでも簡単にかつ直感的に操作できる点で優れる。
【００２０】
さらに、本発明の棒状化粧料容器は、レフィルホルダの上面全体が大きく開口し、レフィルの先端（回動操作部）が完全に露出することから、口紅テスター等の展示品に用いた場合も、その内部に嵌め入れられたレフィルの繰出し操作を簡単に行うことができるという利点を有する。
【００２１】
また、本発明において、上記レール状の案内溝内をスライドする上記板状部先端の凸部の移動距離が、上記レフィルホルダの上面から突出するレフィルの突出高さより大きくなるように構成されているものは、このレフィルの先端部が上記レフィルホルダ上面から突出する高さに関わらず、キャップをこのレフィルに接触させることなく簡単に開くことが可能になる。
【図面の簡単な説明】
【００２２】
【図１】本発明の実施の形態における棒状化粧料容器のキャップ開閉動作を説明する図である。
【図２】（ａ）は本発明の実施の形態における棒状化粧料容器の縦断面図であり、（ｂ）はこの棒状化粧料容器をスライド部側から見た端面図である。
【図３】本発明の実施の形態における棒状化粧料容器の構成を示す組立図である。
【図４】口紅テスターの展示方法を説明する図である。
【図５】従来の口紅テスターの構成を示す組立図である。
【発明を実施するための形態】
【００２３】
つぎに、本発明の実施の形態を、図面にもとづいて詳しく説明する。ただし、本発明は、この実施の形態に限定されるものではない。
【００２４】
図１は、本発明の実施の形態における棒状化粧料容器のキャップ開閉動作を示す説明図である。また、図２（ａ）はこの棒状化粧料容器の縦断面図、図２（ｂ）はこの棒状化粧料容器をスライド部側から見た外観図であり、図３は、この棒状化粧料容器の構成を示す組立図である。なお、ユーザーの操作を考慮して、レフィルホルダ２の上下方向をそのまま上側および下側とし、レフィルホルダ２の側面における案内溝２ｅのない側を前方（手前側）、案内溝２ｅのある側を後方（奥側）として説明する。
【００２５】
本実施形態における棒状化粧料容器は、口紅等、棒状化粧料の色見本品を店頭等で展示する際に用いられる棒状化粧料テスター１０であり、図３の組立図に示すように、試供品用のレフィル４と、レフィルホルダ２，アダプタ３，キャップ１および色見本１１，ダミーＤとから構成されている。また、従来の口紅テスター２０（図５参照）とは異なり、本実施形態における棒状化粧料テスター１０は、通常の棒状化粧料容器と同様、そのレフィル４の開口（棒状化粧料の繰出し口）を上に向けて、すなわち、ユーザーの使用方向と同じ方向に向けて保持するように構成されている。
【００２６】
試供品用のレフィル４は、従来品と同様、相対回転する外筒と内筒からなる試供品用筒状体（スリーブ）の内部に、色見本１１と同じ色の棒状化粧料が充填されたものである。なお、後述するアダプタ３にその底部を嵌入して、レフィルホルダ２にセットされた場合、このレフィル４は、図２（ａ）の断面図に示すように、その上端（先端）がレフィルホルダ２の上面開口から突出するように形成されている。
【００２７】
また、レフィルホルダ２は、外周が多角形状（本実施形態においては四角形状）に形成された筒状部２ａと、上記レフィル４の先端部を挿通させることのできる穴２ｃを有する上面２ｂとからなり、その底部には、上記レフィル４を挿通させ、上記アダプタ３を嵌合する底部開口２ｄが設けられている。また、この筒状部２ａの外周面のうちの１つの面（図１においては図示手前側の面であり、使用するユーザーにとっては後方に相当する面）には、後述するキャップ１の板状部１ｃに形成された凸部１ｅと係合するレール状の案内溝２ｅが設けられている。
【００２８】
なお、この案内溝２ｅの開口近傍の左右の側壁には、これら各側壁から突出する突条部２ｆ，２ｆが設けられており、その断面形状は、開口幅よりも内部空間の幅の方が広い、いわゆるカーテンレール状に形成されている。また、その上面２ｂには、上記レフィル４の挿通穴２ｃの他に、上記キャップ１が閉じられた場合に、そのキャップ１を位置決めするガイド板２ｇ，２ｇが設けられている。
【００２９】
アダプタ３は、内周面にレフィル嵌合用の複数のリブを有する円筒部３ａと、底部３ｂとから構成されており、この円筒部３ａの内部に、上記レフィル４の回動操作部を嵌入して固定することができる。また、円筒部３ａの外周面には、上記レフィルホルダ２の内周と嵌合する複数のリブが設けられており、図２（ａ）の断面図に示すように、上記レフィルホルダ２の内周に挿入された状態で、そのレフィルホルダ２の底部開口２ｄからダミーＤを押し込むことにより、この位置に固定されている。
【００３０】
また、キャップ１は、上記レフィルホルダ２と略同じ外周形状（本実施形態においては四角形状）を有する側部１ａと蓋部１ｂとからなり、この側部１ａの外周面のうちの１つの面の下端縁から、後述する板状部１ｃが延設されている。
【００３１】
本実施形態における棒状化粧料容器テスター１０の構成上の特徴は、上記キャップ１の板状部１ｃが、このキャップ１の側部１ａの下端縁から、上記レフィル４の嵌入方向（すなわち、上記レフィルホルダ筒状部２ａの長手方向であり、上記レール状の案内溝２ｅが形成された方向）に沿って延びる形状に形成され、図２（ｂ）の端面図に示すように、この板状部１ｃの先端部１ｄに、左右に突出する凸部１ｅ，１ｅが設けられている点である。また、この板状部１ｃの先端部１ｄは、上記案内溝２ｅの内部に嵌入され、上記先端部１ｄの各凸部１ｅは、レール状の案内溝２ｅの各突条部２ｆの内側に当接して、この案内溝２ｅ方向への摺接自在に配置されている。
【００３２】
そして、案内溝２ｅにおけるレフィルホルダ上面２ｂ側端部（上端部）には、上記板状部１ｃ先端の各凸部１ｅの上方への抜けを防止するストッパ５，５が配置され、上記案内溝２ｅ内を移動してきた板状部１ｃ先端の各凸部１ｅが、このストッパ５に突き当たって保持されるようになっている。
【００３３】
つぎに、図１を用いて、上記板状部１ｃを介してレフィルホルダ２の案内溝２ｅに係合されたキャップ１の開放動作について説明する。なお、先に述べたように、ユーザーの操作を考慮して、棒状化粧料の繰出し方向（図示上下方向）をそのまま上方，下方とし、レフィルホルダ２において案内溝２ｅが形成されている側（図１の右方）を後方（奥側）、その反対側でユーザーに正対する側（図１の左方）を前方（手前側）として説明する。
【００３４】
店頭等に展示された棒状化粧料テスター１０は、初期の状態において、図１の仮想線（下側の二点鎖線）のように、閉じられたキャップ１により、レフィルホルダ２の上部開口がカバーされている。
【００３５】
なお、この状態において、上記板状部１ｃの凸部１ｅ，１ｅは、図２（ｂ）の端面図に示すように、レール状の案内溝２ｅ内におけるレフィルホルダ２の上縁より下側の位置に配置されている。また、この凸部１ｅのストッパ５からの距離Ｌ2は、レフィル４の先端がレフィルホルダ２の上面２ｂから突出する高さ（距離Ｌ1）より長くなるように設定されている（Ｌ2＞Ｌ1）。
【００３６】
ユーザーの指等により、キャップ１が引き上げられた場合、まず、キャップ１がレフィルホルダ２のガイド板２ｇ，２ｇから外れて上昇する（図中矢印Ａ）。このとき、上記キャップ板状部１ｃ先端の各凸部１ｅが、レール状の案内溝２ｅの各突条部２ｆの内側にそれぞれ係合していることから、このキャップ１は、上記案内溝２ｅに沿って上側にスライド移動（上昇）し、これら各凸部１ｅが、案内溝２ｅの上端部にある各ストッパ５に接触した時点で停止する。
【００３７】
また、この凸部１ｅのストッパ５からの距離Ｌ2が、レフィルホルダ上面２ｂから突出するレフィル４の高さ（距離Ｌ1）より長くなるように設定されている（Ｌ2＞Ｌ1）ことから、上記キャップ１の移動が完了した時点で、上記レフィル４の突出部が完全に露出する。
【００３８】
そして、このキャップ１を上方へ引き上げようとする力がさらに加わった場合、上記板状部１ｃ先端の各凸部１ｅが上記ストッパ５に突き当たって係合保持されることから、このキャップ１は、上記各凸部１ｅを支点として後方（図１の右方）へと回動（倒伏）し始め、上記レフィルホルダ２の上面２ｂ全体が露出する（図中矢印Ｂ）。
【００３９】
その後、キャップ１は、その自重等によってさらに下側へ回転し、レフィルホルダ２の側面に接触して停止する。このとき、これらキャップ１および板状部１ｃは、ユーザーによる棒状化粧料の繰出し操作の邪魔にならない下側の位置まで到達する。
【００４０】
以上の構成により、本実施形態における棒状化粧料テスター１０は、レフィル４を上に向けて保持し、その上側にこれをカバーするキャップ１を設けたにも関わらず、このキャップ１がレフィルホルダ２の上面２ｂから突出するレフィル４の先端に引っ掛かることなく、簡単に開閉させることができる。
【００４１】
また、キャップ１が板状部１ｃを介してレフィルホルダ２に連結されていることから、このキャップ１が離れて紛失するおそれが少なく、構造がシンプルで、誰にでも簡単にかつ直感的に操作することができる。
【００４２】
なお、本実施形態においては、本発明に係る棒状化粧料容器として、試供品用のレフィル４を用いたテスター１０を例に説明したが、この試供品用のレフィル４に代えて、通常の市販品（商品）に用いられているレフィル２５（図５参照）を使用することができる。その場合のアダプタ３の使用は任意である。
【００４３】
また、レフィルホルダ２やアダプタ３，色見本１１，ダミーＤ等を構成する材料や、これらの形状も特に限定されず、レフィル４の内部に充填される棒状化粧料も、口紅の他、リップクリーム等、その他のスティック状化粧品でもよい。したがって、レフィルホルダ２やレール状の案内溝２ｅの形状、および、この案内溝２ｅ内に嵌入される先端部１ｄ，凸部１ｅや、キャップ１および板状部１ｃの形状等は、その商品に合わせて適宜変更すればよい。
【００４４】
上記実施形態においては、顧客の試用に供される口紅テスターを例に説明したが、本発明の棒状化粧料容器の構造は、この店頭用テスターだけではなく、顧客に販売される通常の市販品（商品）に適用でき得ることはいうまでもない。
【産業上の利用可能性】
【００４５】
本発明は、店頭等に展示されてユーザーが試用することのできる口紅テスターやリップクリームテスター等、不特定多数の人が利用する可能性のある棒状化粧料のテスターに適する。また、顧客に販売される市販品（商品）の棒状化粧料容器に使用することもできる。
【符号の説明】
【００４６】
１  キャップ
１ｃ  板状部
１ｄ  先端部
１ｅ  凸部
２  レフィルホルダ
２ｅ  案内溝
２ｆ  突条部
３  アダプタ
４  レフィル
５  ストッパ
１０  テスター
１１  色見本
【図１】
2011000380.tif 000003
【図２】
2011000380.tif 000004
【図３】
2011000380.tif 000005
【図４】
2011000380.tif 000006
【図５】
2011000380.tif 000007